【手続補正書】
【提出日】平成30年5月31日(2018.5.31)
【手続補正１】
【補正対象書類名】明細書
【補正対象項目名】０００７
【補正方法】変更
【補正の内容】
【０００７】
このように構成した本発明の特徴によれば、ユニットトイレは、Ｘリンク機構を構成する第１支持アームおよび第２支持アームにおける各一方の端部が回動端として側壁パネルおよび天井パネルにそれぞれ回動自在に取り付けられるとともに、他方の端部がスライド端として側壁パネルおよび天井パネルにそれぞれスライド変位可能に取り付けられる。そして、ユニットトイレは、天井パネル昇降手段が天井パネルにおけるＸリンク機構の支点よりも各回動端側に設けられている。これにより、ユニットトイレは、ユーザが天井パネルを昇降させる側がＸリンク機構における回動端であるため、天井パネルが多少傾斜した非水平状態となっても回動端を回動させて天井パネルを円滑に昇降させることができ、天井パネル全体を水平状態を維持して昇降させるための柱状部材は不要である。すなわち、本発明に係るユニットトイレは、構成を簡単化および軽量化しつつ円滑に天井パネルを昇降させることができる。
【手続補正２】
【補正対象書類名】明細書
【補正対象項目名】００２４
【補正方法】変更
【補正の内容】
【００２４】
以下、本発明に係るユニットトイレの一実施形態について図面を参照しながら説明する。図１は、本発明に係るユニットトイレ１００の外観構成を天井パネル１２０が上昇した状態で示す正面図である。また、図２は、図１に示すユニットトイレ１００の外観構成を天井パネル１２０が下降した状態で示す正面図である。また、図３は、図１に示すユニットトイレ１００の外観構成を示す右側面図である。また、図４は、図１に示すユニットトイレ１００の外観構成を示す左側面図である。また、図５は、図１に示す５―５線から見たユニットトイレ１００の内部構成を示す側面断面図である。また、図６は、図３に示す６−６線から見たユニットトイレ１００の内部構成を示す正面断面図である。また、図７は、図５に示すユニットトイレ１００における天井パネル１２０を下降させた状態を示す側面断面図である。また、図８は、図６に示すユニットトイレ１００における天井パネル１２０を下降させた状態を示す正面断面図である。また、図９は、図１に示すユニットトイレ１００の外観構成を示す背面図である。また、図１０は、図１に示すユニットトイレ１００の外観構成を示す平面図である。また、図１１は、図１に示すユニットトイレ１００の外観構成を示す底面図である。なお、図５および図７は、側壁パネル１１４およびこの側壁パネル１１４に取り付けられるＸリンク機構１３０を除いた断面図である。このユニットトイレ１００は、屋外において下水道工事を伴わずに設置、移動または撤去ができる簡易設置型のトイレであり、より具体的には、道路工事などの工事現場に乗り入れるトラックの荷台に載置された状態で使用される。
【手続補正３】
【補正対象書類名】明細書
【補正対象項目名】００４２
【補正方法】変更
【補正の内容】
【００４２】
一方、第２支持アーム１３２における一方の端部（上方側）は、天井パネル１２０の天面部１２１におけるエプロン部１２２側、すなわち、前記第１支持アーム１３１における一方の端部の上方位置に可動ピン１３２ａを回動自在に支持する取付回動金具１３６を介して回動自在に取り付けられている。また、第２支持アーム１３２における他方の端部（下方側）は、側壁パネル１１３（１１４）の上端部側における側壁パネル１１２側、すなわち、前記第１支持アーム１３１における他方の端部の下方位置に取付スライド金具１３７を介してユニットトイレ１００の前後方向にスライド可能に取り付けられている。この場合、取付スライド金具１３７は、前記取付スライド金具１３５と同様に、ユニットトイレ１００の前後方向に沿って長孔１３７ａが形成されており、この長孔１３７ａ内に第２支持アーム１３２の他方の端部に設けられた可動ピン１３２ｂが摺動することによって第２支持アーム１３２の他方の端部がユニットトイレ１００の前後方向にスライド変位する。
【手続補正４】
【補正対象書類名】明細書
【補正対象項目名】００４９
【補正方法】変更
【補正の内容】
【００４９】
次に、ユーザは、扉１１６を開けてトイレ室１１５内に入室して用を足す。この場合、ユニットトイレ１００は、２つのＸリンク機構１３０が入室したユーザの左右方向の両端部にそれぞれ配置されているため、入室したユーザとの物理的干渉を避けることができる。また、ユニットトイレ１００は、各Ｘリンク機構１３０における各連結棒１４２が天面部１２１側の端部にそれぞれ設けられているため、入室したユーザとの物理的干渉を避けることができる。また、ユニットトイレ１００は、天井パネル１２０が最上昇位置に位置した場合であってもエプロン部１２２〜１２５の各下端部が側壁パネル１１１〜１１４の上端部に重なっているため、トイレ室１１５内への風雨の侵入を防止することができる。
【手続補正５】
【補正対象書類名】明細書
【補正対象項目名】００５１
【補正方法】変更
【補正の内容】
【００５１】
また、この場合、天井パネル１２０は、２つのＸリンク機構１３０が天面部１２１側において連結棒１４２によって互いに連結されているため天面部１２１の傾斜や捻じれが抑制されてより円滑に下降させることができる。なお、ユーザは、各Ｘリンク機構１３０がガススプリング１４１を備えているため、これらの各ガススプリング１４１の伸長力に抗して天井パネル１２０を下降させる。そして、ユーザは、下降させた天井パネル１２０を２つの固定金具１１８ａによって側壁パネル１１１に固定させる。
【手続補正６】
【補正対象書類名】明細書
【補正対象項目名】００５２
【補正方法】変更
【補正の内容】
【００５２】
上記作動説明からも理解できるように、上記実施形態によれば、ユニットトイレ１００は、Ｘリンク機構１３０を構成する第１支持アーム１３１および第２支持アーム１３２における各一方の端部が回動端として側壁パネル１１３，１１４および天井パネル１２０にそれぞれ回動自在に取り付けられるとともに、他方の端部がスライド端として側壁パネル１１３，１１４および天井パネル１２０にそれぞれスライド変位可能に取り付けられる。そして、ユニットトイレ１００は、昇降ハンドル１２６が天井パネル１２０におけるＸリンク機構１３０の支点である連結ピン１３３よりも前記各回動端側に設けられている。これにより、ユニットトイレ１００は、ユーザが手動で天井パネル１２０を昇降させる側がＸリンク機構１３０における回動端であるため、天井パネル１２０が多少傾斜した非水平状態となっても回動端を回動させて天井パネル１２０を円滑に昇降させることができ、天井パネル１２０全体を水平状態を維持して昇降させるための柱状部材は不要である。すなわち、本発明に係るユニットトイレ１００は、構成を簡単化および軽量化しつつ円滑に天井パネル１２０を昇降させることができる。
【手続補正７】
【補正対象書類名】明細書
【補正対象項目名】００５６
【補正方法】変更
【補正の内容】
【００５６】
また、上記実施形態においては、ユニットトイレ１００は、平面視で長方形状に形成した。しかし、ユニットトイレ１００は、長方形状以外の形状、例えば、正方形、三角形、五角形および六角形などの多角形のほか、円形や楕円形などの各種形状で構成することができる。
【手続補正８】
【補正対象書類名】明細書
【補正対象項目名】００５７
【補正方法】変更
【補正の内容】
【００５７】
また、上記実施形態においては、昇降ハンドル１２６を天井パネル１２０におけるエプロン部１２２に取り付けた。しかし、昇降ハンドル１２６は、天井パネル１２０におけるＸリンク機構１３０の支点である連結ピン１３３よりも第１支持アーム１３１および第２支持アーム１３２の各回動端側に設けられていればよい。したがって、昇降ハンドル１２６は、例えば、天井パネル１２０におけるエプロン部１２４，１２５のエプロン部１２２側に設けることもできる。また、昇降ハンドル１２６は、トイレ室１１５内の天井パネル１２０（天面部１２１やエプロン部１２２，１２４，１２５）に設けることもできる。
【手続補正９】
【補正対象書類名】明細書
【補正対象項目名】００５８
【補正方法】変更
【補正の内容】
【００５８】
また、上記実施形態においては、Ｘリンク機構１３０は、側壁パネル１１３，１１４と天井パネル１２０との間にそれぞれ設けた。しかし、Ｘリンク機構１３０の取付位置は、天井パネル１２０を昇降させることができればよく、必ずしも上記実施形態に限定されるものではない。したがって、Ｘリンク機構１３０は、例えば、側壁パネル１１１と天井パネル１２０との間に設けてもよいし、側壁パネル１１２と天井パネル１２０との間に設けることもできる。また、Ｘリンク機構１３０は、ユニットトイレ１００における前後方向に沿って取り付ける以外に、ユニットトイレ１００における左右方向に沿って取り付けることもできる。また、Ｘリンク機構１３０は、少なくとも１つ以上設けられていればよいため、必ずしも２つ設ける必要はない。
【手続補正１０】
【補正対象書類名】明細書
【補正対象項目名】００６０
【補正方法】変更
【補正の内容】
【００６０】
また、上記実施形態においては、ユニットトイレ１００は、Ｘリンク機構１３０を構成する第１支持アーム１３１および第２支持アームにおける各回動端をトイレ室１１５の出入口となる扉１１６側に配置して構成した。これにより、ユニットトイレ１００は、出入口となる扉１１６側またはその近傍に昇降ハンドル１２６が配置されるため、天井パネル１２０を昇降する作業性が行い易くなる。しかし、Ｘリンク機構１３０を構成する第１支持アーム１３１および第２支持アームにおける各回動端は、扉１１６側以外であってもよく、例えば、扉１１６とは反対側に配置することもできる。この場合、ユニットトイレ１００は、昇降ハンドル１２６を天井パネル１２０におけるエプロン部１２３に設けることができ、ユニットトイレ１００の外観の美観を向上させることができる。